(57)【要約】      （修正有）【課題】通常の一般的な強度の生地で製作したフェンシング用手袋であっても、折れた剣先による手肌への突き刺し事故を防止できるフェンシング用手袋を提供する。【解決手段】フェンシング用手袋は、人差指袋から小指袋に至る４つの指袋２１〜２４における各指袋間の指股部Ｙを跨ぐ位置に、途中で折れたフェンシング剣の先端部１０ａで突き破れない強度を有した補強片５をそれぞれ宛てがっている。補強片は、高強度繊維を主とする編み物製で、荷重強度３００Ｎ以上を有する。【選択図】図１
0003226455.tif 000002
【実用新案登録請求の範囲】
【請求項１】
人差指袋から小指袋に至る４つの指袋（２１〜２４）における各指袋間の指股部（Ｙ）を跨ぐ位置に、途中で折れたフェンシング剣（１０’）の先端部（１０ａ）で突き破れない強度を有した補強片（５）をそれぞれ宛てがっていることを特徴とするフェンシング用手袋。
【請求項２】
上記補強片（５）は、高強度繊維を主とする編み物製で、荷重強度が３００Ｎ以上のものであることを特徴とする請求項１の記載のフェンシング用手袋。
【考案の詳細な説明】
【技術分野】
【０００１】
本考案は、フェンシング競技中に破損（２つ折れ）したフェンシング剣の先端部が手袋生地を突き破って手肌を傷つけるのを防止し得るように構成したフェンシング用手袋に関するものである。
【背景技術】
【０００２】
フェンシング競技中には、図７に示すように、双方のフェンシング剣１０，１０同士が激しく衝突したり、剣先で相手を強く突くこと等により、フェンシング剣１０が途中で２つに折れることがあるが、その折れたフェンシング剣（符号１０’）の先端部１０ａは鋭利に尖っていることが多々ある。尚、以下の説明では、折れたフェンシング剣１０’の先端部１０ａを単に折れた剣先１０ａということがある。
【０００３】
そして、フェンシング剣１０が折れた瞬間は、まだ競技が続行しており、その動きの延長として、図７に鎖線図示するように折れた剣１０’の剣先１０ａ（鋭利に尖っている）で、相手の手袋１の表面を強く突くことがある。
【０００４】
ところで、フェンシング競技には、「フルーレ」と「エペ」と「サーブル」の３種目ある。「フルーレ」と「エペ」については、相手の有効面を「突く」という行為のみで得点を得られる種目であって動きが比較的おとなしいものであるのに対して、「サーブル」については、「突く」に加えて「斬る」という行為も得点を得られる種目であって動きが比較的激しいものである。
【０００５】
そして、日本フェンシング協会の規定では、動きの激しい「サーブル」種目については、使用が許可されるフェンシング用手袋の生地として、折れた剣先１０ａで突いても、該剣先１０ａで手袋生地を突き破れない高強度（部所によって８００Ｎ（ニュートン）、３５０Ｎ等の荷重強度）のものが求められている。尚、この種の高強度のフェンシング用手袋は、高価なものであり、「サーブル」種目の公式競技中だけに使用されることが多い。
【０００６】
他方、動きが比較的おとなしい「フルーレ」と「エペ」の種目で使用するフェンシング用手袋については、図７に示すように競技中に折れた剣先１０ａでフェンシング用手袋１の露出部（例えば図８における指部分２の甲部２ａや手のひら部分３の甲部３ａや袖口部分４の甲部４ａ等の平面部）を突いても、剣先１０ａが生地表面を滑べって逃げるので、剣先１０ａが手袋生地を突き破ることはほとんどない。そして、「フルーレ」と「エペ」の種目については、公式大会においても一般的な強度（例えば荷重強度が１００〜１５０Ｎ程度）の生地で製作したフェンシング用手袋を使用することが許容されている。
【０００７】
ところで、フェンシング競技中（図７参照）において、図８のように折れた剣先１０ａが手袋１の露出面（指部分甲部２ａや手のひら部分甲部３ａや袖口部分甲部４ａ等の平面部）に突き当たっても、該剣先１０ａが生地表面を滑って手袋生地を突き破ることがないが、図９及び図１０に示すように該剣先１０ａが各指袋（人差指袋２１、中指袋２２、薬指袋２３、小指袋２４の４つの指袋）の間の各指股部Ｙ，Ｙ，Ｙを突いたときには、該剣先１０ａが該指股部Ｙから逃げる（滑る）ことができ難いので、普通強度の生地であれば剣１０’を強く押すことで鋭利に尖った剣先１０ａで指股部Ｙの生地を突き破ることがある（図１０の符号１０ａ参照）。その場合には、該剣先１０ａで手肌（特に指股部分）を突き刺してしまうという事故（怪我）が発生し易くなる。尚、フェンシング競技において、このような剣先１０ａの突き刺しによる事故（怪我）は、全国で年に数件発生しているのが現状である。
【考案の概要】
【考案が解決しようとする課題】
【０００８】
そこで、本考案は、通常の一般的な強度（例えば荷重強度が１００〜１５０Ｎ程度）の生地で製作したフェンシング用手袋において、上記したように、フェンシング競技中に折れた剣先が指袋間の指股部に突き当たったときでも、十分に安全性を確保できるようにしたフェンシング用手袋を提供することを目的としている。
【課題を解決するための手段】
【０００９】
本願考案は、上記課題を解決するための手段として次の構成を有している。尚、本考案は、フェンシング競技に使用するフェンシング用手袋を対象にしているが、以下の説明においては添付の図１〜図１０に例示したものを参照して説明する。
【００１０】
本考案の背景としては、上記したように、フェンシング競技中において、折れた剣先１０ａ（鋭利に尖っていることがある）が相手選手が装着している手袋１の指股部Ｙに突き当たることがあるが、そのときフェンシング用手袋が一般的な強度の生地で製作されたものでは、図１０に示すように上記剣先１０ａ（鋭利に尖っている）が手袋の指股部Ｙを突き破って手肌（特に指股部分）を突き刺してしまう事故（怪我）が発生することがある。
【００１１】
そこで、本考案のフェンシング用手袋は、図１〜図６に例示するように、人差指袋から小指袋に至る４つの指袋２１〜２４における各指袋間の指股部Ｙ，Ｙ，Ｙを跨ぐ位置に、途中で折れたフェンシング剣１０’の先端部１０ａで突き破れない強度を有した補強片５，５，５をそれぞれ宛てがっていることを特徴としている。尚、本願の以下の説明においても、途中で折れたフェンシング剣１０’の先端部１０ａを単に折れた剣先１０ａということがある。
【００１２】
本考案のフェンシング用手袋の本体生地としては、フェンシング用としての一般的な強度（例えば荷重強度が１００〜１５０Ｎ程度）があればよいが、上記各補強片５，５，５の生地は、上記剣先１０ａで突き破れない強度（例えば３００Ｎ以上の荷重強度）のもので製作されている。
【００１３】
上記各補強片５，５，５は、上記指股部Ｙを跨ぐ位置で、左右の指袋の各側面部に所定長さ（図１、図３〜図６において符号５ａ，５ｂの位置までの指先側に向けて左右３０〜３５mm程度ずつの長さ）の範囲に連続して宛てがっている。
【００１４】
又、この各補強片５，５，５は、図１〜図４に示すように各指股部Ｙ，Ｙ，Ｙの生地の外面側に宛てがったものでもよく、あるいは図５〜図６に示すように各指股部Ｙ，Ｙ，Ｙの生地の内面側に宛てがったものでもよい。尚、この各補強片５は、その外縁を手袋生地に対して糸で縫い付けることで強固に結合させている。
【００１５】
各補強片５，５，５は、高強度繊維（例えばアラミド繊維）を主とする編み物製で、荷重強度が３００Ｎ以上のものであることが好ましい。尚、この種の高強度繊維の代表例としては、「ケブラー」（商標名）と称されるものがある。
【００１６】
本考案のフェンシング用手袋は、主としてフェンシング競技における「フルーレ」と「エペ」の種目に使用されるものであるが、この「フルーレ」と「エペ」の種目については、手袋生地の強度について特に規定されていないので、手袋生地として通常レベルの強度（例えば荷重強度が１００〜１５０Ｎ程度）のものを採用しても差し支えない。
【００１７】
ところで、「フルーレ」や「エペ」の種目であっても、フェンシング競技中にフェンシング剣が２つ折れすることがあり（図７の符号１０’参照）、さらにその２つ折れした残りの剣１０’の剣先１０ａが図１〜図３に示すように相手選手が装着している手袋１の指股部Ｙに突き当たることがあるが、その場合、本考案のフェンシング用手袋では、手袋１の各指股部Ｙ，Ｙ，Ｙには高強度の補強片５，５，５が宛てがわれているので、該剣先１０ａの進入が補強片５部分で阻止されて、該剣先１０ａがそれ以上手袋内側に進入することがない（図３〜図４、図５〜図６参照）。従って、剣先１０ａが手袋の指股部Ｙに突き当たっても、該剣先１０ａで手肌（特に指股部分）を傷付けることはない。
【考案の効果】
【００１８】
本考案のフェンシング用手袋では、上記のように、手袋の各指股部Ｙ，Ｙ，Ｙに折れた剣先１０ａで突き破れない強度を有した補強片５が宛てがわれているので、フェンシング競技中に折れた剣先１０ａが手袋１の指股部Ｙに突き当たったときでも、該剣先１０ａの進入が上記補強片５で確実に阻止される。
【００１９】
従って、本考案のフェンシング用手袋では、一般的な強度（例えば荷重強度が１００〜１５０Ｎ程度）の生地で製作された手袋（安価）であっても、折れた剣先１０ａによる手肌に対する突き刺し事故（怪我）の発生を確実に防止できるという効果がある。
【図面の簡単な説明】
【００２０】
【図１】本考案の第１実施例に係るフェンシング用手袋の平面図である。
【図２】図１のＡ−Ａ拡大断面図である。
【図３】図２のＢ−Ｂ断面図である。
【図４】図３のＣ部拡大図である。
【図５】本考案の第２実施例に係るフェンシング用手袋の図３相当図である。
【図６】図５のＤ部拡大図（図４相当図）である。
【図７】フェンシング競技中における折れた剣先による突き刺し事故が発生するときの説明図である。
【図８】従来から一般に使用されているフェンシング用手袋の平面図である。
【図９】図８のＥ−Ｅ拡大断面図である。
【図１０】図９のＦ−Ｆ断面図である。
【考案を実施するための形態】
【００２１】
【実施例】
【００２２】
図１〜図４には本考案の第１実施例のフェンシング用手袋を示しており、図５〜図６には同第２実施例のフェンシング用手袋を示している。尚、本願の実施例の説明においても、図７を援用する。
【００２３】
［図１〜図４の第１実施例］
図１に示す本願第１実施例のフェンシング用手袋１は、指部分２と手のひら部分３と袖口部分４とを一体に連続させたものである。そして、この手袋１の本体部分の生地は、「フルーレ」や「エペ」の種目で使用されている一般的な強度（例えば荷重強度が１００〜１５０Ｎ程度）のものを採用している。
【００２４】
ところで、フェンシング競技中には、図７に示すように、双方のフェンシング剣１０，１０同士が激しく衝突したり、剣先で相手を強く突くこと等により、フェンシング剣１０が途中で２つに折れることがあるが、その折れたフェンシング剣１０’の先端部１０ａ（以下、これを単に折れた剣先１０ａという）は鋭利に尖っていることが多々ある。
【００２５】
そして、フェンシング競技中には、折れた剣先１０ａが手袋１の露出面（指部分甲部２ａや手のひら部分甲部３ａや袖口部分甲部４ａ等の平面部）に突き当たっても、該剣先１０ａが生地表面を滑って手袋生地を突き破ることがないが、該剣先１０ａが各指袋（人差指袋２１、中指袋２２、薬指袋２３、小指袋２４の４つの指袋）の間の指股部Ｙを突いたときには、該剣先１０ａが該指股部Ｙから逃げる（滑る）ことができ難いので、該指股部Ｙが普通強度の生地だけであれば、剣１０’を強く押すことで鋭利に尖った剣先１０ａで指股部Ｙの生地を突き破ることがある（図１０参照）。その場合には、該剣先１０ａで手肌（特に指股部分）を突き刺してしまうという事故（怪我）が発生し易くなる。
【００２６】
そこで、本願第１実施例のフェンシング用手袋では、図１〜図４に示すように、人差指袋から小指袋に至る４つの指袋２１〜２４における各指袋間の指股部Ｙ，Ｙ，Ｙの外面に、折れた剣先１０ａで突き破れない強度を有した補強片５，５，５をそれぞれ宛てがっている。
【００２７】
フェンシング用手袋の本体生地としては、フェンシング用としての一般的な強度（例えば荷重強度が１００〜１５０Ｎ程度）があればよいが、上記各補強片５，５，５の生地は、上記剣先１０ａで突き破れない強度（例えば３００Ｎ以上の荷重強度）のもので製作されている。
【００２８】
上記各補強片５，５，５は、上記指股部Ｙを跨ぐ位置で、左右の指袋の各側面部に所定長さ（図１、図３〜図４において符号５ａ，５ｂの位置までの指先側に向けて左右３０〜３５mm程度ずつの長さ）の範囲に連続して宛てがっている。尚、この各補強片５は、その外縁を手袋生地に対して糸で縫い付けることで強固に結合させている。
【００２９】
各補強片５，５，５は、高強度繊維（例えばアラミド繊維）を主とする編み物製で、荷重強度が３００Ｎ以上のものを採用している。尚、この種の高強度繊維の代表例としては、「ケブラー」（商標名）と称されるものがある。
【００３０】
この実施例のフェンシング用手袋は、主としてフェンシング競技における「フルーレ」と「エペ」の種目に使用されるものであるが、この「フルーレ」と「エペ」の種目については、手袋生地の強度について特に規定されていないので、手袋生地として通常レベルの強度（例えば荷重強度が１００〜１５０Ｎ程度）のものを採用してもしても差し支えない。
【００３１】
ところで、「フルーレ」や「エペ」の種目であっても、フェンシング競技中にフェンシング剣が２つ折れすることがあり（図７の符号１０’参照）、さらにその折れた剣先１０ａが図１〜図３に示すように相手選手が装着している手袋１の指股部Ｙに突き当たることがあるが、その場合、この第１実施例のフェンシング用手袋では、手袋１の各指股部Ｙ，Ｙ，Ｙの外面に高強度の補強片５，５，５が宛てがわれているので、該剣先１０ａの進入が補強片５部分で阻止されて（図３、図４参照）、該剣先１０ａがそれ以上手袋内側に（指股部の生地を突き破って）進入することがない。
【００３２】
従って、この第１実施例のフェンシング用手袋では、一般的な強度（例えば荷重強度が１００〜１５０Ｎ程度）の生地で製作された手袋（安価）であっても、折れた剣先１０ａが上記指股部Ｙを突き破って手肌を突き刺すという事故（怪我）の発生を確実に防止できる。
【００３３】
［図５〜図６の第２実施例］
図５〜図６に示す本願第２実施例のフェンシング用手袋は、基本的な構成は図１〜図４の第１実施例のものと同じであるが、この第２実施例では、各指袋の指股部Ｙ，Ｙ，Ｙに宛てがわれる各補強片５，５，５がそれぞれ各指股部Ｙの生地の内面側に宛てがわれていることが第１実施例と異なっている。
【００３４】
即ち、第１実施例（図１〜図４）のフェンシング用手袋では、各補強片５，５，５がそれぞれ各指股部Ｙ，Ｙ，Ｙの外面側に宛てがわれている（外部かに補強片５が見える）のに対して、第２実施例（図５〜図６）のフェンシング用手袋では、各補強片５，５，５がそれぞれ各指股部Ｙ，Ｙ，Ｙの内面側に宛てがわれている。尚、この第２実施例の図５は第１実施例の図３相当図であり、第２実施例の図６は第１実施例の図４相当図であり、この第２実施例におけるその他の基本構成は、第１実施例のものとほぼ同様であるのでその説明を省略する。
【００３５】
この第２実施例のフェンシング用手袋では、上記各補強片５，５，５が各指股部Ｙ，Ｙ，Ｙの生地の内面側に宛てがわれているので、各補強片５，５，５が外部から見えなくなり、外観がスッキリした形状になる（見映えがよくなる）という機能がある。
【００３６】
この第２実施例のフェンシング用手袋におけるその他の機能は、上記第１実施例のものと同じであるので、その第１実施例の説明を援用する。
【符号の説明】
【００３７】
１は手袋（フェンシング用手袋）、２は指袋部分、３は手のひら部分、４は袖口部分、５は補強片、１０はフェンシング剣、１０’は折れた剣、１０ａは折れた剣先、２１は人差指袋、２２は中指袋、２３は薬指袋、２４は小指袋、Ｙは指股部である。
【図１】
0003226455.tif 000003
【図２】
0003226455.tif 000004
【図３】
0003226455.tif 000005
【図４】
0003226455.tif 000006
【図５】
0003226455.tif 000007
【図６】
0003226455.tif 000008
【図７】
0003226455.tif 000009
【図８】
0003226455.tif 000010
【図９】
0003226455.tif 000011
【図１０】
0003226455.tif 000012